(57)【要約】【課題】背面表示器の表示内容の確認を容易にすることができる折り畳み型携帯電話機を得る。【解決手段】充電のために折り畳み型携帯電話機を載置可能な充電台１０に当該携帯電話機が載置されると、充電台検出回路１４はこれを検出し中央処理回路５に通知する。そして、中央処理回路５は、背面表示器８における表示を反転するよう背面表示器駆動回路７に指示を出す。背面表示器駆動回路７は、中央処理回路５からの指示に応答して背面表示器８における表示を反転させる。これにより、ユーザは背面表示器８の表示内容を容易に判別することが可能となる。【選択図】　　　図６
2004048208.tif 000002
【特許請求の範囲】
【請求項１】
折り畳まれた状態であるときでも使用者が見ることができる位置に設けられた表示部を有する折り畳み型携帯電話機であって、
当該携帯電話機への充電のために当該携帯電話機を載置可能な充電台に当該携帯電話機が載置されたとき、前記表示部における表示を反転するよう制御をなす表示制御手段を含むことを特徴とする折り畳み型携帯電話機。
【請求項２】
前記表示制御手段は、当該携帯電話機への充電時に供給される充電用電圧を検出する第１の検出手段と、前記第１の検出手段が前記充電用電圧を検出した場合に当該携帯電話機が前記充電台に載置されているか否かを検出する第２の検出手段とを有し、前記第２の検出手段が当該携帯電話機が前記充電台に載置されていることを検出したときに前記制御をなすことを特徴とする請求項１記載の折り畳み型携帯電話機。
【請求項３】
前記表示制御手段は、前記制御をなした後、前記第１の検出手段が前記充電用電圧の供給断を検出したとき、または前記第２の検出手段が当該携帯電話機が前記充電台から取り外されていることを検出したとき、前記表示を反転前の状態に戻すよう制御をなすことを特徴とする請求項２記載の折り畳み型携帯電話機。
【請求項４】
折り畳まれた状態であるときでも使用者が見ることができる位置に設けられた表示部を有する折り畳み型携帯電話機の表示制御方法であって、
当該携帯電話機への充電のために当該携帯電話機を載置可能な充電台に当該携帯電話機が載置されたとき、前記表示部における表示を反転するよう制御をなす表示制御ステップを含むことを特徴とする表示制御方法。
【請求項５】
前記表示制御ステップは、当該携帯電話機への充電時に供給される充電用電圧を検出する第１の検出ステップと、前記第１の検出ステップにより前記充電用電圧が検出された場合に当該携帯電話機が前記充電台に載置されているか否かを検出する第２の検出ステップとを有し、前記第２の検出ステップにより当該携帯電話機が前記充電台に載置されていることが検出されたときに前記制御をなすことを特徴とする請求項４記載の表示制御方法。
【請求項６】
前記表示制御ステップは、前記制御をなした後、前記第１の検出ステップにより前記充電用電圧の供給断が検出されたとき、または前記第２の検出ステップにより当該携帯電話機が前記充電台から取り外されていることが検出されたとき、前記表示を反転前の状態に戻すよう制御をなすことを特徴とする請求項５記載の表示制御方法。
【請求項７】
折り畳まれた状態であるときでも使用者が見ることができる位置に設けられた表示部を有する折り畳み型携帯電話機の表示制御方法をコンピュータに実行させるためのプログラムであって、
当該携帯電話機への充電のために当該携帯電話機を載置可能な充電台に当該携帯電話機が載置されたとき、前記表示部における表示を反転するよう制御をなす表示制御ステップを含むことを特徴とするプログラム。
【請求項８】
前記表示制御ステップは、当該携帯電話機への充電時に供給される充電用電圧を検出する第１の検出ステップと、前記第１の検出ステップにより前記充電用電圧が検出された場合に当該携帯電話機が前記充電台に載置されているか否かを検出する第２の検出ステップとを有し、前記第２の検出ステップにより当該携帯電話機が前記充電台に載置されていることが検出されたときに前記制御をなすことを特徴とする請求項７記載のプログラム。
【請求項９】
前記表示制御ステップは、前記制御をなした後、前記第１の検出ステップにより前記充電用電圧の供給断が検出されたとき、または前記第２の検出ステップにより当該携帯電話機が前記充電台から取り外されていることが検出されたとき、前記表示を反転前の状態に戻すよう制御をなすことを特徴とする請求項８記載のプログラム。
【発明の詳細な説明】
【０００１】
【発明の属する技術分野】
本発明は折り畳み型携帯電話機、その表示制御方法及びプログラムに関し、特に折り畳まれた状態であるときでも使用者が見ることができる位置に設けられた表示部を有する折り畳み型携帯電話機に関する。
【０００２】
【従来の技術】
折り畳み型携帯電話機において、携帯電話機が折り畳まれた状態であるときでも使用者が見ることができる位置に設けられた表示器（背面表示器）を有する折り畳み型携帯電話機がある。このような折り畳み型携帯電話機の背面表示器に表示データを表示する場合、当該表示データは背面表示器の表示画面に予め設定されている方向で表示される。
【０００３】
また、特開２０００−２００２５０号公報には、携帯用電子機器に電源アダプタ装置が接続されると、当該電子機器の表示部における表示を反転させるようにした技術が記載されている。
【０００４】
【発明が解決しようとする課題】
背面表示器を有する折り畳み型携帯電話機を充電器に接続する際に、当該携帯電話機を開くことを想定してヒンジ部をユーザから見て奥に配置して充電器に接続した状態で、ユーザが背面表示器の表示画面を見た場合に、ユーザにとってはその表示が逆になってしまい表示を見づらいという問題がある。これは、上述したように、表示データが表示画面に予め設定されている方向でのみ表示されるためである。
【０００５】
本発明の目的は、背面表示器の表示内容の確認を容易にすることができる折り畳み型携帯電話機、その表示制御方法及びプログラムを提供することにある。
【０００６】
【課題を解決するための手段】
本発明による折り畳み型携帯電話機は、折り畳まれた状態であるときでも使用者が見ることができる位置に設けられた表示部を有する折り畳み型携帯電話機であって、当該携帯電話機への充電のために当該携帯電話機を載置可能な充電台に当該携帯電話機が載置されたとき、前記表示部における表示を反転するよう制御をなす表示制御手段を含むことを特徴とする。
【０００７】
また、前記折り畳み型携帯電話機において、前記前記表示制御手段は、当該携帯電話機への充電時に供給される充電用電圧を検出する第１の検出手段と、前記第１の検出手段が前記充電用電圧を検出した場合に当該携帯電話機が前記充電台に載置されているか否かを検出する第２の検出手段とを有し、前記第２の検出手段が当該携帯電話機が前記充電台に載置されていることを検出したときに前記制御をなすことを特徴とする。
【０００８】
本発明による表示制御方法は、折り畳まれた状態であるときでも使用者が見ることができる位置に設けられた表示部を有する折り畳み型携帯電話機の表示制御方法であって、当該携帯電話機への充電のために当該携帯電話機を載置可能な充電台に当該携帯電話機が載置されたとき、前記表示部における表示を反転するよう制御をなす表示制御ステップを含むことを特徴とする。
【０００９】
本発明によるプログラムは、折り畳まれた状態であるときでも使用者が見ることができる位置に設けられた表示部を有する折り畳み型携帯電話機の表示制御方法をコンピュータに実行させるためのプログラムであって、当該携帯電話機への充電のために当該携帯電話機を載置可能な充電台に当該携帯電話機が載置されたとき、前記表示部における表示を反転するよう制御をなす表示制御ステップを含むことを特徴とする。
【００１０】
本発明の作用は次の通りである。充電台に折り畳み型携帯電話機が載置されたとき、表示制御手段が当該携帯電話機の背面表示器における表示を反転するよう制御をなすようにしている。したがって、充電時における背面表示器の表示内容の確認が容易となる。
【００１１】
【発明の実施の形態】
以下に、本発明の実施例について図面を参照して説明する。なお、以下に示す全ての図面において、同等部分は同一符号にて示している。
【００１２】
図１は本発明の第１の実施例による折り畳み型携帯電話機の外観を示す図であり、（ａ）は折り畳み型携帯電話機が開かれている状態を示す外観図であり、（ｂ）は折り畳み型携帯電話機が折り畳まれている状態を示す外観図である。
【００１３】
図１（ａ）において、本発明の第１の実施例による折り畳み型携帯電話機は、第１の筐体である本体部１１０と第２の筐体である蓋部１２０とがヒンジ部１００で互いに折り畳み可能な折り畳み構造を持ち、ヒンジ部１００を軸として、図１（ａ）に示す矢印方向に携帯電話機を折り畳んだり開いたりすることが可能である。１は無線電波の送受信を行うアンテナである。本体部１１０にはユーザが操作するための入力手段である操作部１３０が設けられている。蓋部１２０には携帯電話機の主たる表示手段となる主表示器１４０が搭載されている。
【００１４】
折り畳み型携帯電話機では、携帯電話機を折り畳んだ状態にすると、主表示器１４０は本体部１１０と向き合って携帯電話機の内側に位置するため、ユーザは主表示器１４０の表示画面に表示された内容を確認することができない。そこで、携帯電話機を折り畳んだ状態でも、ユーザが例えば必要最低限の情報を確認することができるように、折り畳まれた携帯電話機の外側の面に第２の表示器を搭載する携帯電話機も存在している。
【００１５】
すなわち、図１（ｂ）において、本発明の第１の実施例による折り畳み型携帯電話機は、蓋部１２０の主表示器１４０が設けられている面と反対側の面に補助的な表示手段として背面表示器８が設けられている。折り畳み構造が開いた状態では、ユーザから背面表示器８の表示内容が確認しにくいことや電池寿命を少しでも延ばすためという理由から、背面表示器８の表示をオフとすることが一般的である。
【００１６】
図２は本発明の第１の実施例による折り畳み型携帯電話機の構成を示す図である。図２において、本発明の第１の実施例による折り畳み型携帯電話機は、アンテナ１と、無線部２と、ベースバンド部３と、メモリ４と、中央処理回路５と、背面表示メモリ６と、背面表示器駆動回路７と、背面表示器８と、充電用電圧検出回路９とを有している。なお、図２では、図１に示した操作部１３０や主表示器１４０はその図示を省略している。
【００１７】
アンテナ１は、図示せぬ基地局との間で無線電波の送受信を行うためのものである。無線部２は、送受信データの変復調を行うものであり、アンテナ１にて無線回線を介して受信したデータを増幅、復調し、復調信号としてベースバンド部３に出力すると共に、ベースバンド部３からのデータを送信データとして変調、増幅し、アンテナ１０１に出力する。ベースバンド部３は、無線部２からの復調信号を中央処理回路５における処理のためにデジタル信号に変換して中央処理回路５へ出力すると共に、中央処理回路５からの信号を変調可能な状態にし無線部２へ伝達する。
【００１８】
メモリ４は、中央処理回路５の演算結果を読み書きでき、中央処理回路５は、メモリ４に予め格納されているプログラムに基づいて動作する。背面表示メモリ６は、背面表示器８の表示画面の画素構成に対応するようにその内容が構成されており、背面表示器駆動回路７は、背面表示メモリ６の内容すなわち表示データに従い背面表示器８に表示を行うための信号の送出を行う。また、背面表示器駆動回路７は、充電用電圧検出回路９が本携帯電話機が充電状態にあることを検出したときに中央処理回路５からの指示により背面表示器８における表示を反転させる。
【００１９】
充電用電圧検出回路９は、本携帯電話機の図示せぬコネクタに接続される充電器から供給される充電用電圧を検出すると、この旨を検出信号を用いて中央処理回路５に通知する。充電器は、本携帯電話機の図示せぬバッテリを充電するために一般商用電源を充電用電圧に変換して本携帯電話機に供給する充電用電源アダプタである。なお、充電時には上述のように充電器がコネクタに接続されるが、本携帯電話機への充電のために本携帯電話機を載置可能な充電台に本携帯電話機を載置し、この充電台に充電器を接続し、充電器からの充電用電圧が充電台を介して本携帯電話機に供給されることにより充電を行うことも可能である。この場合、充電用電圧検出回路９は、充電台を介して充電器から供給される充電用電圧を検出することになる。
【００２０】
図３は図１及び２の背面表示器８における表示の反転について説明するための図であり、（ａ）は図２の背面表示メモリ６の内容を示す図であり、（ｂ）は通常時の背面表示器８の表示画面を示す図であり、（ｃ）は充電時の背面表示器８の表示画面を示す図である。また、図４はユーザから見た携帯電話機及びその背面表示器８の表示画面を示す図であり、（ａ）は携帯電話機のヒンジ部１００をユーザの手前に置いた状態を示す図であり、（ｂ）は携帯電話機のアンテナ１をユーザの手前に置いた状態を示す図であり、（ｃ）は充電器に接続された携帯電話機を開くことをユーザが想定してアンテナ１をユーザの手前に置いた状態を示す図である。
【００２１】
例えば「６」という文字を背面表示器８に表示させるために、予め中央処理回路５は背面表示メモリ６に表示データを、図３（ａ）に示すように１から３５に向かって順番に書込みを行っておく。充電用電圧検出回路９が充電用電圧を検出していない通常時には、背面表示器駆動回路７は、図３（ａ）に示した背面表示メモリ６の内容に従い、背面表示器８に表示を行うための信号を図３（ｂ）に示すように１から３５に向かって順番に送出を行い、背面表示器８には「６」という文字が表示されることになる。
【００２２】
これにより、ヒンジ部１００がユーザの手前に置かれている場合には、図４（ａ）に示したように「６」という文字がユーザにはそのまま「６」として見えることになる。しかし、アンテナ１がユーザの手前に置かれている場合には、図４（ｂ）に示したように「６」という文字がユーザには「９」と見えてしまう。
【００２３】
そこで、充電用電圧検出回路９が充電用電圧を検出したときには、背面表示器駆動回路７は、図３（ａ）に示した背面表示メモリ６の内容に従い、背面表示器８に表示を行うための信号を図３（ｂ）に示した走査方向とは逆向きに図３（ｃ）に示すように３５から１に向かって順番に送出を行い、図３（ｂ）の表示「６」から図３（ｃ）の表示「９」へと背面表示器８における表示を反転させる。
【００２４】
これにより、図４（ｃ）に示したように、充電器２００に接続された本携帯電話機を開くことをユーザが想定してアンテナ１がユーザの手前に置かれている場合には、「６」という文字がユーザにはそのまま「６」として見えることになる。なお、図４（ｃ）では、本携帯電話機が充電器２００に直接接続されている場合を示したが、本携帯電話機が充電台に載置されて充電される場合もこれと同様であることは勿論である。
【００２５】
背面表示器８における表示の向きを反転させる方法は、背面表示器８に表示を行うための信号の走査方向を変える方法に限られない。すなわち、図３（ａ）において、背面表示器駆動回路７は、充電時には、通常時の表示データ読出し方向（図３（ａ）における１から３５へ向かう方向）とは逆向きに、表示データを図３（ａ）における３５から１に向かって順番に読出すことにより、走査方向を変えることなく表示の向きを反転させることができる。また、書込み方向を変えて表示を反転させるようにしてもよい。すなわち、背面表示器駆動回路７は、通常時には図３（ａ）に示したように１から３５に向かって表示データを順番に書込むが、充電用電圧が検出されると、図３（ａ）における３５から１に向かって表示データを順番に書込む。これにより、走査方向を変えることなく表示の向きを反転させることができる。
【００２６】
図５は本発明の第１の実施例による折り畳み型携帯電話機の動作を示すフローチャートである。図５において、まず、充電用電圧供給確認処理が行われる（ステップＡ１）。すなわち、中央処理回路５は、充電用電圧検出回路９からの検出信号を基に、本携帯電話機が充電されているか否かを判断する（ステップＡ２）。
【００２７】
本携帯電話機が充電されていることが確認されると（ステップＡ２，ＹＥＳ）、中央処理回路５は、背面表示器８における表示を反転させるべく背面表示器駆動回路７に指示を出す。そして、背面表示器駆動回路７は、上述したように走査方向、読出し方向、あるいは書込み方向を反転させることにより、背面表示器８における表示を反転させる（ステップＡ３）。
【００２８】
一方、本携帯電話機が充電されていないことが確認されると（ステップＡ２，ＮＯ）、中央処理回路５は、背面表示器８における表示を元に戻すべく背面表示器駆動回路７に指示を出す。そして、背面表示器駆動回路７は、ステップＡ３において反転された方向を通常の方向に戻すことにより、背面表示器８における表示を反転前の状態に戻す（ステップＡ４）。
【００２９】
このように、本発明の第１の実施例では、折り畳み型携帯電話機への充電が行われると、これを充電用電圧検出回路９が検出することにより、背面表示器８における表示を反転するよう制御がなされる。したがって、図４（ｃ）に示したように、充電時にユーザが本携帯電話機をヒンジ部１００を奥にして置いた場合でも、背面表示器８の表示内容を容易に判別することができる。
【００３０】
しかし、本発明の第１の実施例では、充電時にユーザが本携帯電話機をヒンジ部１００を手前にして置いた場合にも、背面表示器８における表示を反転するよう制御がなされる。この場合には、表示を反転させたことによって、例えば本来は「６」という文字であるにもかかわらずユーザには「９」と見えてしまい、無用な混乱を招いてしまう。このような問題は、上述した特開２０００−２００２５０号公報に記載の技術においても生じる。
【００３１】
次に、本発明の第２の実施例による折り畳み型携帯電話機について図面を用いて説明する。図６は本発明の第２の実施例による折り畳み型携帯電話機の構成を示す図である。なお、本発明の第２の実施例による折り畳み型携帯電話機の外観は図１に示されている。
【００３２】
図６において、本発明の第２の実施例による折り畳み型携帯電話機は、アンテナ１と、無線部２と、ベースバンド部３と、メモリ４と、中央処理回路５と、背面表示メモリ６と、背面表示器駆動回路７と、背面表示器８と、充電台検出回路１４とを有している。
【００３３】
充電台検出回路１４は、本携帯電話機への充電のために本携帯電話機を載置可能な充電台１０に本携帯電話機が載置されたか否かを検出する。充電台１０には磁石１７が予め取り付けられており、充電台検出回路１４は、この磁石１７を基に充電台１０に本携帯電話機が載置されたか否かを検出し、この旨を検出信号を用いて中央処理回路５に通知する。中央処理回路５は、充電台検出回路１４により充電台１０に本携帯電話機が載置されたことが検出されると、背面表示器８における表示を反転するよう背面表示器駆動回路７に指示する。
【００３４】
図７は本発明の第２の実施例による折り畳み型携帯電話機の動作を示すフローチャートである。図７において、まず、充電台載置確認処理が行われる（ステップＢ１）。すなわち、中央処理回路５は、充電台検出回路１４からの検出信号を基に、本携帯電話機が充電台１０に載置されているか否かを判断する（ステップＢ２）。
【００３５】
本携帯電話機が充電台１０に載置されていることが確認されると（ステップＢ２，ＹＥＳ）、中央処理回路５は、背面表示器８における表示を反転させるべく背面表示器駆動回路７に指示を出す。そして、背面表示器駆動回路７は、上述したように走査方向、読出し方向、あるいは書込み方向を反転させることにより、背面表示器８における表示を反転させる（ステップＢ３）。
【００３６】
一方、本携帯電話機が充電台１０に載置されていないことが確認されると（ステップＢ２，ＮＯ）、中央処理回路５は、背面表示器８における表示を元に戻すべく背面表示器駆動回路７に指示を出す。そして、背面表示器駆動回路７は、ステップＢ３において反転された方向を通常の方向に戻すことにより、背面表示器８における表示を反転前の状態に戻す（ステップＢ４）。
【００３７】
このように、本発明の第２の実施例では、折り畳み型携帯電話機が充電台１０に載置されると、これを充電台検出回路１４が検出することにより、背面表示器８における表示を反転するよう制御がなされる。ここで、通常、充電台は固定された向きで設置され、充電台に置いた状態での折り畳み型携帯電話機の向きは一定である。したがって、上記制御により表示を反転させたことによって、例えば本来は「６」という文字であるにもかかわらずユーザには「９」と見えてしまい無用な混乱を招いてしまうというような事態の発生を低減することができる。
【００３８】
なお、図６では充電台検出回路１４は磁石１７を基に充電台１０を検出しているが、充電台検出方法はこれに限られるものではない。
【００３９】
図８は本発明の第２の実施例による折り畳み型携帯電話機の別の構成例を示す図である。図６に示した充電台検出回路１４と異なり、図８に示した充電台検出回路１４は接触子１１及び１２を有しており、また、充電台１０には磁石１７に代えて接触片１３が取り付けられている。そのほかの構成要素については図６と同様である。
【００４０】
図８において、本携帯電話機が充電台１０に載置されると、充電台検出回路１４の接触子１１及び１２が充電台１０の接触片１３に接触し、接触子１１及び１２間に接触片１３を介して電流が流れることにより、充電台１０に本携帯電話機が載置されたことを検出するようにしている。なお、図８に示された本携帯電話機の動作は図７に示されている。
【００４１】
図９は本発明の第２の実施例による折り畳み型携帯電話機の更に別の構成例を示す図である。図６に示した充電台検出回路１４と異なり、図９に示した充電台検出回路１４はスイッチ１５を有しており、また、充電台１０には磁石１７に代えて押し棒１６が取り付けられている。そのほかの構成要素については図６と同様である。
【００４２】
図９において、本携帯電話機が充電台１０に載置されると、充電台検出回路１４のスイッチ１５が充電台１０の押し棒１６によって押下されオンされることにより、充電台１０に本携帯電話機が載置されたことを検出するようにしている。なお、図９に示された本携帯電話機の動作は図７に示されている。
【００４３】
図１０は本発明の第２の実施例による折り畳み型携帯電話機の更に別の構成例を示す図である。図６に示した充電台検出回路１４と異なり、図１０に示した充電台検出回路１４は図示せぬ赤外線受光回路を有しており、また、充電台１０には磁石１７に代えて赤外線発光回路１８が設けられている。そのほかの構成要素については図６と同様である。
【００４４】
図１０において、充電台１０の赤外線発光回路１８は、充電台１０に接続される充電器からの電源供給を受けて、赤外線を発光するものである。本携帯電話機が充電台１０に載置されると、充電台検出回路１４の赤外線受光回路が赤外線発光回路１８からの赤外線を受光することにより、充電台１０に本携帯電話機が載置されたことを検出するようにしている。なお、図１０に示された本携帯電話機の動作は図７に示されている。
【００４５】
次に、本発明の第３の実施例による折り畳み型携帯電話機について図面を用いて説明する。図１１は本発明の第３の実施例による折り畳み型携帯電話機の構成を示す図である。なお、本発明の第３の実施例による折り畳み型携帯電話機の外観は図１に示されている。
【００４６】
図１１において、本発明の第３の実施例による折り畳み型携帯電話機は、アンテナ１と、無線部２と、ベースバンド部３と、メモリ４と、中央処理回路５と、背面表示メモリ６と、背面表示器駆動回路７と、背面表示器８と、充電用電圧検出回路９と、充電台検出回路１４とを有している。図１１における充電台検出回路１４及び充電台１０は、図６，８，９及び１０にそれぞれ示した充電台検出回路１４及び充電台１０のいずれでもよい。
【００４７】
図１１において、中央処理回路５は、充電用電圧検出回路９が充電用電圧を検出すると、充電台１０の検出を行うよう充電台検出回路１４に指示を出す。充電台検出回路１４は、中央処理回路５からの当該指示を受けて検出動作を開始する。中央処理回路５は、検出動作を開始した充電台検出回路１４により充電台１０に本携帯電話機が載置されたことが検出されると、背面表示器８における表示を反転するよう背面表示器駆動回路７に指示を出すことになる。
【００４８】
図１２は本発明の第３の実施例による折り畳み型携帯電話機の動作を示すフローチャートである。図１２において、まず、充電用電圧供給確認処理が行われる（ステップＣ１）。すなわち、中央処理回路５は、充電用電圧検出回路９からの検出信号を基に、本携帯電話機が充電されているか否かを判断する（ステップＣ２）。
【００４９】
本携帯電話機が充電されていることが確認されると（ステップＣ２，ＹＥＳ）、充電台載置確認処理が行われる（ステップＣ３）。すなわち、中央処理回路５は、充電台検出回路１４に検出動作を開始するよう指示を出し、この充電台検出回路１４からの検出信号を基に、本携帯電話機が充電台１０に載置されているか否かを判断する（ステップＣ４）。
【００５０】
本携帯電話機が充電台１０に載置されていることが確認されると（ステップＣ４，ＹＥＳ）、中央処理回路５は、背面表示器８における表示を反転させるべく背面表示器駆動回路７に指示を出す。そして、背面表示器駆動回路７は、上述したように走査方向、読出し方向、あるいは書込み方向を反転させることにより、背面表示器８における表示を反転させる（ステップＣ５）。
【００５１】
一方、本携帯電話機が充電台１０に載置されていないことが確認されると（ステップＣ４，ＮＯ）、中央処理回路５は、背面表示器８における表示を元に戻すべく背面表示器駆動回路７に指示を出す。そして、背面表示器駆動回路７は、ステップＣ５において反転された方向を通常の方向に戻すことにより、背面表示器８における表示を反転前の状態に戻す（ステップＣ６）。
【００５２】
また、ステップＣ２において、本携帯電話機が充電されていないことが確認された場合も（ステップＣ２，ＮＯ）、背面表示器８における表示は反転前の状態に戻されることになる（ステップＣ６）。
【００５３】
本発明の第３の実施例においても、上記第２の実施例と同様の効果を実現することができる。
【００５４】
なお、図５，７及び１２に示した各フローチャートに従った処理動作は、予めＲＯＭ等の記憶媒体に格納されたプログラムを、ＣＰＵ（制御部）となるコンピュータに読み取らせて実行せしめることにより、実現できることは勿論である。
【００５５】
【発明の効果】
本発明による効果は、背面表示器の表示内容の確認を容易にすることができることである。その理由は、充電台に折り畳み型携帯電話機が載置されたとき、表示制御手段が当該携帯電話機の背面表示器における表示を反転するよう制御をなすようにしているためである。
【図面の簡単な説明】
【図１】本発明の第１の実施例による折り畳み型携帯電話機の外観を示す図であり、（ａ）は折り畳み型携帯電話機が開かれている状態を示す外観図であり、（ｂ）は折り畳み型携帯電話機が折り畳まれている状態を示す外観図である。
【図２】本発明の第１の実施例による折り畳み型携帯電話機の構成を示す図である。
【図３】図１及び２の背面表示器における表示の反転について説明するための図であり、（ａ）は図２の背面表示メモリの内容を示す図であり、（ｂ）は通常時の背面表示器の表示画面を示す図であり、（ｃ）は充電時の背面表示器の表示画面を示す図である。
【図４】ユーザから見た図１の携帯電話機及びその背面表示器の表示画面を示す図であり、（ａ）は携帯電話機のヒンジ部をユーザの手前に置いた状態を示す図であり、（ｂ）は携帯電話機のアンテナをユーザの手前に置いた状態を示す図であり、（ｃ）は充電器に接続された携帯電話機を開くことをユーザが想定してアンテナをユーザの手前に置いた状態を示す図である。
【図５】本発明の第１の実施例による折り畳み型携帯電話機の動作を示すフローチャートである。
【図６】本発明の第２の実施例による折り畳み型携帯電話機の構成を示す図である。
【図７】本発明の第２の実施例による折り畳み型携帯電話機の動作を示すフローチャートである。
【図８】本発明の第２の実施例による折り畳み型携帯電話機の別の構成例を示す図である。
【図９】本発明の第２の実施例による折り畳み型携帯電話機の更に別の構成例を示す図である。
【図１０】本発明の第２の実施例による折り畳み型携帯電話機の更に別の構成例を示す図である。
【図１１】本発明の第３の実施例による折り畳み型携帯電話機の構成を示す図である。
【図１２】本発明の第３の実施例による折り畳み型携帯電話機の動作を示すフローチャートである。
【符号の説明】
１　　アンテナ
２　　無線部
３　　ベースバンド部
４　　メモリ
５　　中央処理回路
６　　背面表示メモリ
７　　背面表示器駆動回路
８　　背面表示器
９　　充電用電圧検出回路
１０　　充電台
１１，１２　　接触子
１３　　接触片
１４　　充電台検出回路
１５　　スイッチ
１６　　押し棒
１７　　磁石
１８　　赤外線発光回路１８
１００　　ヒンジ部
１１０　　本体部
１２０　　蓋部
１３０　　操作部
１４０　　主表示器
２００　　充電器
【図１】
2004048208.tif 000003
【図２】
2004048208.tif 000004
【図３】
2004048208.tif 000005
【図４】
2004048208.tif 000006
【図５】
2004048208.tif 000007
【図６】
2004048208.tif 000008
【図７】
2004048208.tif 000009
【図８】
2004048208.tif 000010
【図９】
2004048208.tif 000011
【図１０】
2004048208.tif 000012
【図１１】
2004048208.tif 000013
【図１２】
2004048208.tif 000014